(57)【要約】【課題】外敵が巣箱内に侵入したり侵害することのないミツバチ用巣箱装置を提供する。【解決手段】貯水トレー中の貯留水に飼育箱の底開口部を浸漬して設置し、該飼育箱の前面板にミツバチが出入りするための出入孔を穿設し、出入孔の手前にミツバチが一旦停止する止まり台を前面板に突設したミツバチ用巣箱装置において、出入孔及び止まり台を臨んで入口防御装置の入口防御枠を設け、入口防御枠内に、出入孔の手前にシャワーを注ぐ防御シャワーと、出入孔の手前で外敵を防御する防御電柵とを設けたミツバチ用巣箱装置。【選択図】図１
2019213475.tif 000002
【特許請求の範囲】
【請求項１】
貯水トレー中の貯留水に飼育箱の底開口部を浸漬して設置し、該飼育箱の前面板にミツバチが出入りするための出入孔を穿設し、該出入孔の手前にミツバチが一旦停止する止まり台を前記前面板に突設したミツバチ用巣箱装置において、
前記出入孔及び止まり台を臨んで入口防御装置を設け、
前記入口防御装置は、前記出入孔及び止まり台を間にした一対の横板と該横板間に架設した天井板とで門構えの入口防御枠を形成し、該入口防御枠内に、前記出入孔の手前にシャワーを注ぐ防御シャワーと、前記出入孔の手前で外敵を防御する防御電柵とを設け、
前記防御シャワーは夜間に作動させ、前記防御電柵への通電は昼間に作動させることを特徴とするミツバチ用巣箱装置。
【請求項２】
前記貯水トレー中の貯留水を送水する水中ポンプを設置し、該水中ポンプの送水で前記防御シャワーを作動させることを特徴とする請求項１に記載のミツバチ用巣箱装置。
【請求項３】
前記貯水トレー中の貯留水中で泡を放出する泡放出体を設け、エアポンプにより空気を該泡放出体に空気を送るようにしたことを特徴とする請求項１に記載のミツバチ用巣箱装置。
【請求項４】
ソーラーパネルにバッテリー及びインバーターを付設し、該インバーターの出力で前記水中ポンプ・防御電柵及びエアポンプを動作させることを特徴とする請求項１乃至３のいずれか一項に記載のミツバチ用巣箱装置。
【発明の詳細な説明】
【技術分野】
【０００１】
本発明は、外敵の侵入を防止するミツバチ用巣箱装置に関する。
【背景技術】
【０００２】
従来、ミツバチを養蜂する上での阻害要因としてスズメバチや蛾などの害虫がいる。これらを排除する手段としては下記特許文献１や特許文献２のような手段がある。
【０００３】
特許文献１では、ミツバチの巣箱の出入り口をシャッタ機構にて開閉自在に構成し、日中のミツバチの活動時間には出入り口を開放し、夜間の休息時には閉鎖してミツバチの活動を妨げることなく蛾の巣箱への侵入を防止できる構成について開示している。
【０００４】
また、特許文献２では、ミツバチの巣箱の巣門に針金で形成した電極棒を配設し、該電極棒に通電することで飛来したオオスズメバチが接触して飛行できないようにする電機柵の構成について開示している。
【先行技術文献】
【特許文献】
【０００５】
【特許文献１】特開２０１７-１０８６３５号公報
【特許文献２】特開２００５-１６０３３９号公報
【発明の概要】
【発明が解決しようとする課題】
【０００６】
しかしながら、特許文献１では、自動でシャッタの開閉を制御しているためミツバチがシャッタに挟まれる虞があり、また、ミツバチが挟まれた場合にはミツバチを殺傷してしまうだけでなくシャッタの動作不良につながりシャッタが機能しなくなる虞があった。
また、特許文献２では、通電棒を約２ｍｍの針金で構成しているため、スズメバチが接触した際や、ミツバチが巣箱から出て行く際に接触することで、柵を構成する針金同士の間隔が広がりスズメバチの侵入を阻止できなくなる虞があった。
【０００７】
本発明は上述した問題点に鑑みてなされたものであり、ミツバチが害されることなく、ミツバチにとっての外敵であるスズメバチや蛾などが巣箱内に侵入し、侵害する虞のないミツバチ用巣箱装置を提供することを目的としている。
【課題を解決するための手段】
【０００８】
本発明の第１の態様は、貯水トレー中の貯留水に飼育箱の底開口部を浸漬して設置し、該飼育箱の前面板にミツバチが出入りするための出入孔を穿設し、該出入孔の手前にミツバチが一旦停止する止まり台を前記前面板に突設したミツバチ用巣箱装置において、前記出入孔及び止まり台を臨んで入口防御装置を設け、前記入口防御装置は、前記出入孔及び止まり台を間にした一対の横板と該横板間に架設した天井板とで門構えの入口防御枠を形成し、該入口防御枠内に、前記出入孔の手前にシャワーを注ぐ防御シャワーと、前記出入孔の手前で外敵を防御する防御電柵と、を設け、前記防御シャワーは夜間に作動させ、前記防御電柵への通電は昼間に作動させることを特徴とするミツバチ用巣箱装置である。
【０００９】
この第１の態様によれば、ミツバチの活動時間帯の昼間には、入口防御装置の防御電柵に通電して外敵に備え、防御シャワーは作動させない。ミツバチは門構えの入口防御枠内の出入孔から巣箱に出入りし、防御電柵の通電棒の隙間を通って外界と出入する。出入孔の手前の止まり台に一旦止ったりして安定して出入する。
【００１０】
昼間に行動する外敵であるスズメバチが巣箱に侵入しようとすると、体の大きいスズメバチは入口防御枠内に設けられた防御電柵の前後の通電棒に接触し、通電棒に通電した電気によってスズメバチが感電し撃退される。そのため、スズメバチは止り台や出入孔まで通電棒に阻害されて侵入することが出来ず、ミツバチの動きが一旦停止する止り台や巣箱の出入孔などでミツバチが襲われる虞がない。また、ミツバチはスズメバチと比較して全長が短く防御電柵に設置した前後いずれかの通電棒にしか接触しないため感電する虞がなく、さらに、その全長の小ささから通電棒に接触する虞も少ないことから防御電柵が傷むことなく、良好な状態が保たれる。
【００１１】
夜間に行動する外敵である蛾が巣箱に侵入しようとすると、夜間には、防御シャワーが出入孔の手前にシャワーを注ぐので、蛾はシャワーに阻まれて通過することが出来ず、出入孔や止まり台に達することがなく、蛾による被害を未然に防止することが出来る。
【００１２】
また、本発明の第２の態様は、貯水トレー中の貯留水を送水する水中ポンプを設置し、該水中ポンプの送水で前記防御シャワーを作動させることを特徴とする第１の態様に記載のミツバチ用巣箱装置である。第２の態様によれば、水中ポンプで貯水トレー中の貯留水を送水して防御シャワーのシャワーとするので、水を循環利用して無駄がない。また、ペットボトルなどを貯水タンクとして用い、その出水パイプを貯水トレー中の貯留水の水面を決めるように貯水トレー中に開口させるようにすると、蒸発などで貯留水の水面が下がると貯水タンクから重力で水が補給され、貯水タンクの水が尽きるまで水を補給する必要がなく、保守の手間を少なくすることが出来る。
【００１３】
本発明の第３の態様は、貯水トレー中の貯留水中で泡を放出する泡放出体を設け、エアポンプにより空気を該泡放出体に空気を送るようにしたことを特徴とする第１の態様に記載のミツバチ用巣箱装置である。第３の態様によれば、エアポンプにより空気を泡放出体に空気を送って巣箱の内部の下で泡を発生させることが出来る。これにより、貯留水から蒸発熱を奪い、暑い時などに巣箱内部の居心地を良好に維持することが出来る。
【００１４】
本発明の第４の態様は、ソーラーパネルにバッテリー及びインバーターを付設し、該インバーターの出力で前記水中ポンプ・防御電柵及びエアポンプを動作させることを特徴とする第１，２または３の態様に記載のミツバチ用巣箱装置である。第４の態様によれば、ソーラーパネルに付設したバッテリー及びインバーターを電源として利用し、商用電源を使用する必要がなく、前記第２の態様と相まって、保守の手間を極限まで少なくすることが出来る。
【発明の効果】
【００１５】
本発明の請求項１の発明によれば、貯水トレー中の貯留水に飼育箱の底開口部を浸漬して設置し、該飼育箱の前面板にミツバチが出入りするための出入孔を穿設し、該出入孔の手前にミツバチが一旦停止する止まり台を前記前面板に突設したミツバチ用巣箱装置において、前記出入孔及び止まり台を臨んで入口防御装置を設け、前記入口防御装置は、前記出入孔及び止まり台を間にした一対の横板と該横板間に架設した天井板とで門構えの入口防御枠を形成し、該入口防御枠内に、前記出入孔の手前にシャワーを注ぐ防御シャワーと、前記出入孔の手前で外敵を防御する防御電柵とを設け、前記防御シャワーは夜間に作動させ、前記防御電柵への通電は昼間に作動させることを特徴とするミツバチ用巣箱装置としたので、ミツバチの活動時間帯の昼間には、入口防御装置の防御電柵に通電して外敵に備え、防御シャワーは作動させない。ミツバチは門構えの入口防御枠内の出入孔から巣箱に出入りし、防御電柵の通電棒の隙間を通って外界と出入する。出入孔の手前の止まり台に一旦止まったりして安定して出入する。
【００１６】
昼間に行動する外敵であるスズメバチが巣箱に侵入しようとすると、体の大きいスズメバチは入口防御枠内の前部に設けられた防御電柵の通電棒の隙間を通ることが出来ず、通電棒に通電されているので、電気的刺激もあってスズメバチは撃退される。スズメバチは止り台や侵入口まで侵入することが出来ないのでミツバチの動きが一旦止る場所で襲われるおそれがない。ミツバチは防御電柵の通電棒の間の隙間を通るので、通電棒にミツバチが接触することなく、防御電柵は痛むことなく、良好な状態が保たれるという優れた効果を奏する。
【００１７】
本発明の請求項２の発明によれば、前記貯水トレー中の貯留水を送水する水中ポンプを設置し、該水中ポンプの送水で前記防御シャワーを作動させることを特徴とする請求項１に記載のミツバチ用巣箱装置としたので、水中ポンプで貯水トレー中の貯留水を送水して防御シャワーのシャワーとするので、水を循環利用して無駄がない。また、ペットボトルなどを貯水タンクとして用い、その出水パイプを貯水トレー中の貯留水の水面を決めるように貯水トレー中に開口させるようにすると、蒸発などで貯留水の水面が下がると貯水タンクから重力で水が補給され、貯水タンクの水が尽きるまで水を補給する必要がなく、保守の手間を少なくすることが出来るという優れた効果を奏する。
【００１８】
本発明の請求項３の発明によれば、貯水トレー中の貯留水中で泡を放出する泡放出体を設け、エアポンプにより空気を該泡放出体に空気を送るようにしたことを特徴とする第１の態様に記載のミツバチ用巣箱装置としたので、エアポンプにより泡放出体に空気を送って巣箱の内部の下で泡を発生させることが出来る。これにより、貯留水から蒸発熱を奪い、暑い時などに巣箱内部の居心地を良好に維持することが出来るという優れた効果を奏する。
【００１９】
本発明の請求項４の発明によれば、ソーラーパネルにバッテリー及びインバーターを付設し、該インバーターの出力で前記水中ポンプ・防御電柵及びエアポンプを動作させることを特徴とする請求項１，２または３に記載のミツバチ用巣箱装置としたので、ソーラーパネルに付設したバッテリー及びインバーターを電源として利用し、商用電源を使用する必要がなく、前記第２の態様と相まって、保守の手間を極限まで少なくすることが出来るという優れた効果を奏する。
【図面の簡単な説明】
【００２０】
【図１】本発明の実施形態に係るミツバチ用巣箱装置を示す斜視図である。
【図２】本発明の実施形態に係るミツバチ用巣箱装置を示す正面図である。
【図３】本発明の実施形態に係るミツバチ用巣箱装置の図２のＡ-Ａ切断線による断面図である。
【図４】本発明の実施形態に係るミツバチ用巣箱装置の図３の一部拡大図である。
【図５】本発明の実施形態に係るミツバチ用巣箱装置の入口防御枠を示す底面図である。
【図６】本発明の実施形態に係るミツバチ用巣箱装置の図２のＢ-Ｂ切断線による断面図である。
【図７】本発明の実施形態に係るミツバチ用巣箱装置の入口防御枠を構成する横板を示す側面図である。
【発明を実施するための形態】
【００２１】
次に、図面を参照して、本発明を実施するための一実施の形態を説明する。以下の図面において、同一または類似の部分には同一または類似の符号を付している。ただし、図面は、模式的なものであり、各部の寸法の比率等は現実のものとは必ずしも一致しない。また、図面相互間においても互いの寸法の関係や比率が異なる部分が含まれることは言うまでもない。
【００２２】
図１は、本発明の一実施の形態に係るミツバチ用巣箱装置の構成例を示す全体斜視図、図４は要部断面図である。
ミツバチ用巣箱装置１は、貯水トレー１０中の貯留水Ｗに飼育箱２０の底開口部２１を浸漬して設置し、飼育箱２０の前面３０にミツバチが出入りするための出入孔３１，３１…を穿設し、出入孔３１，３１…の手前にミツバチが一旦停止する止まり台３２を前面３０に突設して成る。出入孔３１，３１…はミツバチが通れる程度の程よい大きさに設定してある。
【００２３】
図１〜４に示すように、出入孔３１，３１…及び止まり台３２を臨んで入口防御装置４０が設けられており、入口防御装置４０は、出入孔３１，３１…及び止まり台３２を間にした一対の横板４１，４１と横板４１，４１間に架設した天井板４９とで門構えの入口防御枠４８を形成し、入口防御枠４８内に、前記出入孔３１，３１…の手前にシャワーを注ぐ防御シャワー５０と、前記出入孔３１，３１…の手前で外敵を防御する前後の防御電柵６０，７０とを設けて成り、防御シャワー５０は夜間に作動させ、前後の防御電柵６０，７０への通電は昼間に作動させるものである。
【００２４】
図１，図４に示すように、貯水トレー１０は薄底の矩形容器形状をしており、外周の全周にわたって、強度維持用のつば部１１が折り曲げ形成されている。つば部１１は外側に鋭角に折り曲げてから、さらに周縁板１２を折り返して潰して二重にしている。
【００２５】
図１及び図５に示すように、巣箱を収容する飼育箱２０は、四隅のＬ字アングル部材２２，２２…に、いずれも木の板である前面コンクリートパネル２３、後面コンクリートパネル２４、両側面コンクリートパネル２５，２５が架設され、四隅のＬ字アングル部材２２，２２…は足部２２ａが前面コンクリートパネル２３、後面コンクリートパネル２４、両側面コンクリートパネル２５，２５より下方に延びるよう形成されている。これにより、飼育箱２０を底開口部２１が貯留水Ｗに浸かるよう貯水トレー１０に載置したとき、底開口部２１が貯水トレー１０の底から離れていて、貯水トレー１０の貯留水Ｗが飼育箱２０の底に流れ込むようにしている。
【００２６】
飼育箱２０の両側面コンクリートパネル２５，２５の外面には、図３及び図６に示すような、保護アルミパネル２６，２６が覆装されている。保護アルミパネル２６，２６には、通気用の穴加工２７がなされている。また前面コンクリートパネル２３、後面コンクリートパネル２４にも図３に示すように、保護アルミパネル２８，２９が覆装されている。
【００２７】
図２，図４に示すように、出入孔３１，３１…及び止まり台３２を臨んで設けられた入口防御装置４０は、出入孔３１，３１…及び止まり台３２を間にした一対のアクリル樹脂である横板４１，４１と横板４１，４１間に架設した図２に示すアクリル樹脂である天井板４９とで門構えの入口防御枠４８を形成して成る。図７に示すように、横板４１は上部に防御シャワー嵌合凹部４２、防御電柵保持凹部４３，４４が設けられており、飼育箱２０の前面３０に取り付けるためのＬ字形取付金具の一辺がねじ止めされ、タ辺が飼育箱２０の前面３０にねじ止めするように構成している。
【００２８】
図４及び図５に示すように、入口防御装置４０の入口防御枠４８内には、出入孔３１，３１…の手前にシャワーを注ぐ防御シャワー５０と、出入孔３１，３１…の手前で外敵を防御する防御電柵６０，７０とが設けられ、防御シャワー５０は夜間に作動させ、防御電柵６０，７０への通電は昼間に作動させるようになっている。
【００２９】
図４，図５及び図７に示すように、防御シャワー５０は、水供給パイプ５１を角パイプ状のシャワーヘッド５２に接続して成り、シャワーヘッド５２の底面５３には多数のシャワー孔５４，５４…が穿設されている。シャワーヘッド５２は、入口防御枠４８の両側の横板４１，４１の防御シャワー嵌合凹部４２，４２に嵌め込んで装着されている。
【００３０】
図１及び図５に示すように、入口防御装置４０は、外方からミツバチ用巣箱装置１の出入孔３１に向けて前側防御電柵７０と、後側防御電柵６０と、シャワーヘッド５２との順番で設けられている。後側防御電柵６０は、横長角柱状の電極基体６１の下向面６２に複数の電極装着孔６３，６３…が穿設され、電極装着孔６３，６３…に通電棒６４，６４…が装着されている。電極基体６１の一端には通電接続孔６５が穿設されている。後側防御電柵６０は、入口防御枠４８の両側の横板４１，４１の防御電柵保持凹部４３，４３に嵌め込んで装着されている。
【００３１】
前側防御電柵７０は、図４，５，７に示すように、横長角柱状の電極基体７１の下向面７２に複数の電極装着孔７３，７３…が穿設され、電極装着孔７３，７３…に通電棒７４，７４…が装着されている。電極基体７１の一端には通電接続孔７５が穿設されている。後側防御電柵６０は、入口防御枠４８の両側の横板４１，４１の防御電柵保持凹部４４，４４に嵌め込んで装着されている。後側防御電柵６０の通電棒６４，６４…と、前側防御電柵７０の通電棒７４，７４…とは横に並んで通路を邪魔する柵をなしており、後側防御電柵６０の通電棒６４，６４…の間隔は、前側防御電柵７０の通電棒７４，７４…の間隔より狭く設定されている。
【００３２】
図１に示すように、貯水トレー１０中の貯留水Ｗを送水する水中ポンプ８０が設置され、水中ポンプ８０と防御シャワー５０の水供給パイプ５１とは送水パイプ８１で接続されている。水中ポンプ８０からの送水で防御シャワー５０を作動させ、送水すると、シャワーヘッド５２の底面５３に設けられた多数のシャワー孔５４，５４…からシャワー水が吐水されて通路を遮断するようになっている。
【００３３】
図１に示すように、貯水トレー１０中の貯留水Ｗ中で泡を放出する泡放出体８５が設けられ、エアポンプ８６により生起した空気が泡放出体８５に送られるように構成している。
【００３４】
図１に示すように、飼育箱２０の天面２０ａは、前後面、両側面と同様にコンクリートパネルと保護アルミパネルが設けられており、該天面２０ａに、ソーラーパネル９１が設置され、ソーラーパネル９１にバッテリー９２とインバーター９３とが付設されている。バッテリー９２とインバーター９３から延びた電線９４に、水中ポンプ８０、前後の防御電柵６０，７０及びエアポンプ８６が接続されている。
【００３５】
図１及び図３に示すように、さらに、飼育箱２０の横面には、防御シャワー５０に水を送る水中ポンプ８０の動作を制御する水タイマー９５及び、エアポンプ８６の動作を制御するエアタイマー９６が設置され、いずれもバッテリー９２とインバーター９３から延びた電線９４が接続されている。また、さらに、飼育箱２０の横面には、電線９４が接続されている電柵パネル９７が設置され、側面の保護アルミパネル２６に穿設された通気用の穴加工２７を防御するようになっている。また、ペットボトルなどを貯水タンク９８として貯水トレー１０中の貯留水Ｗより高い位置に支持し、その吐出管９９を貯留水Ｗの水面の程よい位置に保持する。それにより貯留水Ｗの水面が下がった時、重力の作用により貯水タンク９８の貯留水が貯水トレー１０に流れ込んで補充するようになっている。
【００３６】
飼育箱２０を使用状態にセットして野原に置けば、ほとんど保守することなく養蜂できる。貯水トレー１０には所定の水面高さになるよう貯留水Ｗを貯留させておく。飼育箱２０は四隅のＬ字アングル部材２２，２２…の足部２２ａにより底開口部２１が貯留水Ｗに浸かるが貯水トレー１０の底にはつかない状態に保持される。底開口部２１が貯留水Ｗに浸かっているので外敵の侵入を防ぐことが出来る。
【００３７】
ミツバチの活動時間帯の昼間には、飼育箱２０の天面２０ａのソーラーパネル９１の電力をバッテリー９２とインバーター９３とから延びた電線９４からの電力を水タイマー９５により、入口防御装置４０の防御電柵６０，７０に通電して通電棒６４，７４に接触すると電気的刺激を受けるようにして外敵に備え、水タイマー９５により防御シャワー５０に水を送る水中ポンプ８０には通電しないようにし、防御シャワー５０は作動させない。ミツバチは門構えの入口防御枠４８内の出入孔３１，３１…から巣箱に出入りし、防御電柵６０，７０の通電棒６４，７４の隙間を通って外界と出入する。出入孔３１，３１…の手前の止まり台３２に一旦止まったりして安定して出入する。
【００３８】
昼間に行動する外敵であるスズメバチが巣箱に侵入しようとすると、体の大きいスズメバチは入口防御枠４８内に設けられた防御電柵６０，７０の通電棒６４，７４の隙間を通ることが出来ず、通電棒６４，７４に通電されているので、電気的刺激もあってスズメバチは撃退される。スズメバチは止り台３２や出入孔３１まで侵入することが出来ないので、ミツバチの動きが一旦止る場所で襲われるおそれがない。ミツバチは全長が小さく防御電柵６０，７０の通電棒６４，７４の間の隙間を通ることができるため、通電棒６４，７４にミツバチが接触する虞がなく害を受けず、防御電柵６０，７０は傷むことなく良好な状態が保たれる。
【００３９】
夜間の場合は蛾が外敵となる。ミツバチは外出せず巣の中で休むので出入孔３１からの出入はない、スズメバチも行動しないので、水タイマー９５により防御電柵６０，７０への通電は遮断しておく。水中ポンプ８０には通電して送水パイプ８１から防御シャワー５０に送水する。これによりシャワーヘッド５２の底面５３のシャワー孔５４，５４…からシャワーが降り注ぎ、通路を遮断する。夜間に行動する外敵である蛾が巣箱に侵入しようとすると、夜間には、防御シャワー５０が出入孔３１，３１…の手前にシャワーを注ぐので、蛾はシャワーに阻まれて通過することが出来ず、出入孔３１，３１…や止まり台３２に達することがなく、蛾による被害を未然に防止することが出来る。水中ポンプ８０で貯水トレー１０中の貯留水Ｗを送水して防御シャワー５０のシャワーとするので、水を循環利用して無駄がない。
【００４０】
ペットボトルなどを貯水タンク９８として用い、その吐出管９９を貯水トレー１０中の貯留水Ｗの水面を決めるように貯水トレー１０中に開口させるようにしてあるので、蒸発などで貯留水Ｗの水面が下がると貯水タンク９８から重力で水が自動的に補給され、貯水タンク９８の水が尽きるまで水を補給する必要がなく、保守の手間を少なくすることが出来る。
【００４１】
外界が暑くて巣内の環境がよくないとき、エアポンプ８６により空気を泡放出体８５に空気を送って巣箱の内部の下で泡を発生させる。これにより、貯留水Ｗの水面の表面積が拡大し、貯留水Ｗが蒸発し易い状態を生起する。その結果、貯留水Ｗが気化する際に周囲の温度を吸熱する、いわゆる、気化熱の作用により、厚い夏場などの日中の巣箱内部の温度を良好に維持することができる。
なお、泡放出体８５の上方、すなわち、巣箱内部の貯留水Ｗの水面には発泡スチロール８７を浮かべており巣箱内部で活動するミツバチが誤って落下した際にも水に濡れる虞を低減している。また、図６に示すように保護アルミパネル２６，２８，２９の貯留水Ｗの水面近傍で平面視略中央にはスペーサ８８を設けている。このスペーサ８８により発泡スチロール８７が貯留水Ｗの水面を塞ぐことなく泡放出体８５から生起放出される空気の気化作用を利用できる。
また、エアポンプ８６などの駆動のための電気の供給をソーラーパネル９１に付設したバッテリー９２及びインバーター９３が担うことで、商用電源を使用する必要がなく、保守の手間を極限まで少なくすることができる。
【００４２】
上述した実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【００４３】
１  ミツバチ用巣箱装置
１０  貯水トレー
２０  飼育箱
２１  底開口部
３０  前面板
３１  出入孔
３２  止まり台
４０  入口防御装置
４８  入口防御枠
５０  防御シャワー
５２  シャワーヘッド
６０，７０  防御電柵
６４，７４  通電棒
【図１】
2019213475.tif 000003
【図２】
2019213475.tif 000004
【図３】
2019213475.tif 000005
【図４】
2019213475.tif 000006
【図５】
2019213475.tif 000007
【図６】
2019213475.tif 000008
【図７】
2019213475.tif 000009